(57)【要約】      （修正有）【課題】主に室内において嗜好道具や玩具などとして使用される組立式模擬座敷において、外観上の美観を向上させる。【解決手段】横方向に伸延させた上下の梁体２〜５の間に縦方向に伸延させた左右の柱体６〜９を着脱可能に設けるとともに、左右の柱体の間に壁体１０〜１４を着脱可能に設けて、室内に模擬的に座敷を組立て可能とした組立式模擬座敷１において、左右の柱体に、柱体と壁体との隙間を外側から被覆する鍔状のカバー１８を形成する。また、上下の梁体２〜５に、壁体の上下端部を収容して梁体と壁体との隙間を被覆する溝状のカバー２４を形成する。【選択図】図１
0003209801.tif 000002
【実用新案登録請求の範囲】
【請求項１】
横方向に伸延させた上下の梁体の間に縦方向に伸延させた左右の柱体を着脱可能に設けるとともに、左右の柱体の間に壁体を着脱可能に設けて、室内に模擬的に座敷を組立て可能とした組立式模擬座敷において、
左右の柱体に、柱体と壁体との隙間を外側から被覆する鍔状のカバーを形成したことを特徴とする組立式模擬座敷。
【請求項２】
前記上下の梁体に、前記壁体の上下端部を収容して梁体と壁体との隙間を被覆する溝状のカバーを形成したことを特徴とする請求項１に記載の組立式模擬座敷。
【考案の詳細な説明】
【技術分野】
【０００１】
本考案は、室内に模擬的に座敷を組立て可能とした組立式模擬座敷に関するものである。
【背景技術】
【０００２】
室内に模擬的に座敷を組立て可能とした組立式模擬座敷を形成する場合には、横方向に伸延させた上下の梁体の間に縦方向に伸延させた左右の柱体を着脱可能に設けるとともに、左右の柱体の間に壁体を着脱可能に設ける。
【０００３】
その際に、特許文献１に開示された壁構造では、ただ単に左右の柱体の間に壁体を配置した構成となる。
【先行技術文献】
【特許文献】
【０００４】
【特許文献１】実用新案登録第３１５２４７０号公報
【考案の概要】
【考案が解決しようとする課題】
【０００５】
ところが、上記従来のように左右の柱体の間に壁体を配置した場合には、柱体と壁体との間に隙間が形成されてしまい、外観上の美観を損ねるおそれがある。
【課題を解決するための手段】
【０００６】
そこで、請求項１に係る本考案では、横方向に伸延させた上下の梁体の間に縦方向に伸延させた左右の柱体を着脱可能に設けるとともに、左右の柱体の間に壁体を着脱可能に設けて、室内に模擬的に座敷を組立て可能とした組立式模擬座敷において、左右の柱体に、柱体と壁体との隙間を外側から被覆する鍔状のカバーを形成することにした。
【０００７】
また、請求項２に係る本考案では、前記請求項１に係る本考案において、前記上下の梁体に、前記壁体の上下端部を収容して梁体と壁体との隙間を被覆する溝状のカバーを形成することにした。
【考案の効果】
【０００８】
そして、本考案では、以下に記載する効果を奏する。
【０００９】
すなわち、本考案では、横方向に伸延させた上下の梁体の間に縦方向に伸延させた左右の柱体を着脱可能に設けるとともに、左右の柱体の間に壁体を着脱可能に設けて、室内に模擬的に座敷を組立て可能とした組立式模擬座敷において、左右の柱体に、柱体と壁体との隙間を外側から被覆する鍔状のカバーを形成することにしているために、柱体と壁体との間がカバーで被覆されることで組立式模擬座敷の外観上の美観を向上させることができる。
【００１０】
特に、前記上下の梁体に、前記壁体の上下端部を収容して梁体と壁体との隙間を被覆する溝状のカバーを形成することにした場合には、梁体と壁体との間もカバーで被覆されることで組立式模擬座敷の外観上の美観をより一層向上させることができる。
【図面の簡単な説明】
【００１１】
【図１】本考案に係る組立式模擬座敷を示す一部切欠斜視図。
【図２】同水平断面図。
【図３】同垂直断面図。
【図４】同部分拡大断面図（柱体（ａ）、梁体（ｂ））。
【考案を実施するための形態】
【００１２】
以下に、本考案に係る組立式模擬座敷の具体的な構成について図面を参照しながら説明する。
【００１３】
図１〜図４に示すように、組立式模擬座敷１は、左右方向に伸延させた２本の梁体2,3を上下に間隔をあけて平行に対向させて配置するとともに、前後方向に伸延させた２本の梁体4,5を上下に間隔をあけて平行に対向させて配置している。なお、ここでは、１対の左右の梁体2,3と１対の前後の梁体4,5（２組の梁体）について説明するが、組立式模擬座敷１は、１組の梁体だけで構成してもよく、また、３組又は４組の梁体で構成してもよい。
【００１４】
また、組立式模擬座敷１は、横方向に伸延する２本の梁体2,3(4,5)の間に上下方向（縦方向）に伸延させた柱体6〜9を横方向に間隔をあけて平行に対向させて配置している。
【００１５】
また、組立式模擬座敷１は、２本の柱の間に矩形板状の壁体10〜14を配置している。
【００１６】
ここで、柱体6(7)は、図４（ａ）に示すように、矩形断面の柱本体15の後側（外側）左右側部に柱本体15の左右側面16,17よりも左右側方へ張出した鍔状のカバー18,19を形成している。このカバー18,19は、柱本体15の上端から下端まで上下縦方向に伸延させて形成されており、柱本体15の左右側面16,17と壁体10,11(11,12)の端面20,21との間の隙間を後側（外側）から被覆している。柱体９も同様の形状となっている。また、角部の柱体８は、左側面と前側面の後側（外側）にカバーを形成している。
【００１７】
また、上下の梁体2,3(4,5)は、図４（ｂ）に示すように、矩形断面の梁本体22,23の壁体側に溝状のカバー24,25を形成している。この溝状のカバー24,25は、壁体10〜14の厚さと略同一の（同一又は若干大きい）幅を有し、上下の梁体2,3(4,5)の左端から右端まで左右横方向に伸延させて形成されており、壁体10〜14の上端及び下端を収容することで上下の梁体2,3(4,5)の上下側面26,27と壁体10〜14の端面28,29との間の隙間を前側（内側）及び後側（外側）から被覆している。上側の梁体2(4)の下側面26に形成した溝状のカバー24は、下側の梁体3(5)の上側面27に形成した溝状のカバー25よりも深くしている。
【００１８】
組立式模擬座敷１は、以上に説明したように構成しており、室内において組立てや分解ができるようになっている。
【００１９】
組立においては、まず、室内の床30に下側の梁3,5を着脱可能に固定する。次に、下側の梁3,5の上部に柱体6〜9を着脱可能に固定する。次に、柱体6〜9の上部に上側の柱体2,4を着脱可能に固定する。次に、柱体6〜9と上下の梁2,3(4,5)とで囲まれた矩形状の空間に壁体10〜14を着脱可能に固定する。壁体10〜14は、上端部を上側の梁体2,4に形成した溝状のカバー24に挿入した後に、下端部を下側の梁体3,5に形成した溝状のカバー25に挿入することで、上下端部がカバー24,25に挿入されて着脱可能に固定されることになる。なお、分解においては、組立と逆の作業を行う。また、床30には、畳などの床材31を着脱可能に設けてもよい。
【００２０】
組み立てられた組立式模擬座敷１は、鍔状のカバー18,19によって柱体6〜9と壁体10〜14との間の隙間が被覆され、また、溝状のカバー24,25によって梁体2〜5と壁体10〜14との間の隙間が被覆されている。これにより、組立式模擬座敷１は、外観上においてなんら違和感を与えることなく、内側から外側を或は外側から内側を目視することができなくなり、光や熱などを遮断することができ、外観上の美観を向上させることができる。
【００２１】
以上に説明したように、上記組立式模擬座敷１は、横方向に伸延させた上下の梁体2〜5の間に縦方向に伸延させた左右の柱体6〜9を着脱可能に設けるとともに、左右の柱体6〜9の間に壁体10〜14を着脱可能に設けて、室内に模擬的に座敷を組立て可能に構成している。
【００２２】
そして、上記組立式模擬座敷１は、左右の柱体6〜9に、柱体6〜9と壁体10〜14との隙間を外側から被覆する鍔状のカバー18,19を形成した構成となっている。
【００２３】
そのため、上記構成の組立式模擬座敷１では、柱体6〜9と壁体10〜14との間がカバー18,19で被覆されることで組立式模擬座敷１の外観上の美観を向上させることができる。
【００２４】
また、上記組立式模擬座敷１は、上下の梁体2〜5に、壁体10〜14の上下端部28,29を収容して梁体2〜5と壁体10〜14との隙間を被覆する溝状のカバー24,25を形成した構成となっている。
【００２５】
そのため、上記構成の組立式模擬座敷１では、梁体2〜5と壁体10〜14との間もカバー24,25で被覆されることで組立式模擬座敷１の外観上の美観をより一層向上させることができる。
【符号の説明】
【００２６】
１  組立式模擬座敷                    2〜5  梁体
6〜9  柱体                            10〜14  壁体
15  柱本体                            16,17  左右側面
18,19  カバー                         20,21  端面
22,23  梁本体                         24,25  カバー
26,27  上下側面                       28,29  端面
30  床                                31  床材
【図１】
0003209801.tif 000003
【図２】
0003209801.tif 000004
【図３】
0003209801.tif 000005
【図４】
0003209801.tif 000006